(57)【要約】光源（３３）と、集束手段（９）より上流側で所定の位置と平行なままの空間的にオフセットされた出射光ビームを得る光学システム（２）であって、その法線が３次元空間に軌道を描くことができるよう可動であるミラー（１９）を備え、第１入射光ビーム（４）とこの可動ミラー（１９）の法線とが、可動ミラー（１９）のすべての可能な位置や方向について、０°から１５°の角度（１５）で離間するよう構成されている、光学システム（２）と、可動ミラー（１９）を移動させる駆動手段（６）と、可動ミラー（１９）に、第１反射光ビーム（２３）と平行な第２入射光ビーム（８）を得ることができる再帰反射システム（２１）と、出射光ビーム（７）を対象物（１０）上に集束させる集束手段（９）とを備える機械加工装置（１００）。
2018530437.tif 000002
【特許請求の範囲】
【請求項１】
光源（３３）と、
入射光ビーム（１）から、該入射光ビーム（１）に対して空間的にオフセットされた出射光ビーム（７）を得る光学システム（２）であって、
法線（１６）によって定められたほぼ平らな反射面を有し、前記入射光ビーム（１）から生じる第１入射光ビーム（４）から第１反射光ビーム（２３）を得るよう構成され、
その法線（１６）が３次元空間に軌道を描くことができるよう可動式のミラー（１９）を備え、
前記第１入射光ビーム（４）と前記可動ミラー（１９）の法線（１６）とが、可動ミラー（１９）のすべての可能な位置や方向について、０°から１５°の角度（１５）で離間するよう構成されている、光学システム（２）と、
前記可動ミラー（１９）を移動させる駆動手段（６）と、
前記第１反射光ビーム（２３）から、前記可動ミラー（１９）のすべての可能な位置や方向について、前記ミラー（１９）に第２入射光ビーム（８）を得るよう、かつ、前記第２入射光ビーム（８）から上記ミラー（１９）に出射光ビーム（７）を得るように前記可動ミラー（１９）に対して位置決めされ、
前記可動ミラー（１９）のすべての可能な位置や方向について、前記可動ミラー（１９）に、前記第１反射光ビーム（２３）と平行な前記第２入射光ビーム（８）を得ることができる、再帰反射システム（２１）と、
前記出射光ビーム（７）を対象物（１０）上に集束させる集束手段（９）と、
を具備することを特徴とする機械加工装置（１００）。
【請求項２】
前記光学システム（２）は、前記第１入射光ビーム（４）と前記可動ミラー（１９）の法線（１６）とが、前記可動ミラー（１９）のすべての可能な位置や方向について、０．０１°から５°の角度（１５）で離間するよう構成されていることを特徴とする請求項１に記載の機械加工装置（１００）。
【請求項３】
前記光学システム（２）は、前記第１入射光ビーム（４）と前記可動ミラー（１９）の法線（１６）とが、前記可動ミラー（１９）のすべての可能な位置や方向について、０．１°から３°の角度（１５）で、好ましくは０．５°の角度で離間するよう構成されていることを特徴とする請求項１に記載の機械加工装置（１００）。
【請求項４】
前記光源（３３）はレーザー光源であることを特徴とする請求項１〜３のいずれか一項に記載の機械加工装置（１００）。
【請求項５】
前記対象物（１０）を移動させる位置決め手段（６０）をさらに具備することを特徴とする請求項１〜４のいずれか一項に記載の機械加工装置（１００）。
【請求項６】
前記出射光ビーム（７）をシフトさせる偏向システム（３２）をさらに具備することを特徴とする請求項１〜５のいずれか一項に記載の機械加工装置（１００）。
【請求項７】
前記可動ミラー（１９）は、その法線（１６）に対する割線である回転軸（５）を中心に３６０°回転することができ、前記駆動手段（６）は、前記ミラー（１９）を前記回転軸（５）を中心に回転させることができることを特徴とする請求項１〜６のいずれか一項に記載の機械加工装置（１００）。
【請求項８】
前記駆動手段（６）は、前記回転軸（５）を中心に前記ミラー（１９）を１０００から１０００００ｒｐｍの回転速度で回転させることができることを特徴とする請求項７のいずれか一項に記載の機械加工装置（１００）。
【請求項９】
前記可動ミラー（１９）は、２つ以上の方向に傾斜可能であり、前記駆動手段（６）は、当該２つ以上の方向について前記ミラー（１９）の傾斜を変更することができることを特徴とする請求項１〜８のいずれか一項に記載の機械加工装置（１００）。
【請求項１０】
前記ミラー（１９）は並進運動可能であり、前記駆動手段（６）は、前記ミラー（１９）に並進運動（２４）を行わせることができることを特徴とする請求項１〜９のいずれか一項に記載の機械加工装置（１００）。
【請求項１１】
前記再帰反射システム（２１）は並進運動可能であり、前記駆動手段（６）は、前記再帰反射システム（２１）に並進運動を行わせることができることを特徴とする請求項１〜１０のいずれか一項に記載の機械加工装置（１００）。
【請求項１２】
前記光学システム（２）は、第１及び第２入射光ビーム（４）、（８）が前記ミラー（１９）の同じ平らな反射面に当たることができるよう構成されていることを特徴とする請求項１〜１１のいずれか一項に記載の機械加工装置（１００）。
【請求項１３】
前記ミラー（１９）は、２つのほぼ平らな反射面を有し、
各反射面は、法線によって画定され、
一方の反射面は、前記入射光ビーム（１）から生じる前記第１入射光ビーム（４）から前記第１反射光ビーム（２３）を得て、
もう一方の反射面は、前記第２入射光ビーム（８）を反射させて前記出射光ビーム（７）を得る、
ことを特徴とする請求項１〜１１のいずれか一項に記載の機械加工装置（１００）。
【請求項１４】
前記再帰反射システム（２１）は、光ビームの偏光を維持することができることを特徴とする請求項１〜１３のいずれか一項に記載の機械加工装置（１００）。
【請求項１５】
前記再帰反射システム（２１）は、ダブプリズム（２９）と直角二等辺プリズム（３０）を備えていることを特徴とする請求項１〜１４のいずれか一項に記載の機械加工装置（１００）。
【請求項１６】
前記再帰反射システム（２１）は、半波長遅延板（４５）、ルーフプリズム（３５）、偏光ビームスプリッターキューブ（５０）をさらに備えていることを特徴とする請求項１５のいずれか一項に記載の機械加工装置（１００）。
【請求項１７】
前記再帰反射システム（２１）は、ダブプリズム（２９）とルーフプリズムを備えていることを特徴とする請求項１〜１４のいずれか一項に記載の機械加工装置（１００）。
【請求項１８】
前記再帰反射システム（２１）は、ダブプリズム（２９）と２つのルーフプリズムを備えていることを特徴とする請求項１〜１４のいずれか一項に記載の機械加工装置（１００）。
【請求項１９】
前記再帰反射システム（２１）は、ダブプリズム（２９）と２つのミラーを備えていることを特徴とする請求項１〜１４のいずれか一項に記載の機械加工装置（１００）。
【請求項２０】
前記再帰反射システム（２１）は、５つのミラーを備えていることを特徴とする請求項１〜１４のいずれか一項に記載の機械加工装置（１００）。
【請求項２１】
前記再帰反射システム（２１）は、キューブコーナーを備えていることを特徴とする請求項１〜１３のいずれか一項に記載の機械加工装置（１００）。
【請求項２２】
前記光学システム（２）は、前記入射光ビーム（１）を偏向させることにより、前記第１入射光ビーム（４）を得る第１ビーム誘導システム（２０）をさらに備えていることを特徴とする請求項１〜２１のいずれか一項に記載の機械加工装置（１００）。
【請求項２３】
前記可動ミラー（１９）は、前記駆動手段（６）と前記第１ビーム誘導システム（２０）との間に配置されていることを特徴とする請求項２２に記載の機械加工装置（１００）。
【請求項２４】
前記第１ビーム誘導システム（２０）は、ビームスプリッターキューブを備えていることを特徴とする請求項２２又は２３に記載の機械加工装置（１００）。
【請求項２５】
前記第１ビーム誘導システム（２０）は、偏光ビームスプリッターキューブ（２５）を備えていることを特徴とする請求項２２〜２４のいずれか一項に記載の機械加工装置（１００）。
【請求項２６】
前記第１ビーム誘導システム（２０）は、第１の１／４波長遅延板（２７）を備えていることを特徴とする請求項２２〜２５のいずれか一項に記載の機械加工装置（１００）。
【請求項２７】
前記光学システム（２）は、前記ミラー（１９）での前記第２入射光ビーム（８）の反射を偏向させることにより、前記出射光ビーム（７）を得る第２ビーム誘導システム（２２）をさらに備えていることを特徴とする請求項１〜２６のいずれか一項に記載の機械加工装置（１００）。
【請求項２８】
前記可動ミラー（１９）は、前記駆動手段（６）と前記第２ビーム誘導システム（２２）との間に配置されていることを特徴とする請求項２７に記載の機械加工装置（１００）。
【請求項２９】
前記第２ビーム誘導システム（２２）は、ビームスプリッターキューブを備えていることを特徴とする請求項２７又は２８に記載の機械加工装置（１００）。
【請求項３０】
前記第２ビーム誘導システム（２２）は、偏光ビームスプリッターキューブ（２６）を備えていることを特徴とする請求項２７〜２９のいずれか一項に記載の機械加工装置（１００）。
【請求項３１】
前記第２ビーム誘導システム（２２）は、第２の１／４波長遅延板（２８）を備えていることを特徴とする請求項２７〜３０のいずれか一項に記載の機械加工装置（１００）。
【請求項３２】
前記第１及び第２ビーム誘導システム（２０、２２）は同じ仕様であることを特徴とする請求項２２又は２７に記載の機械加工装置（１００）。
【請求項３３】
前記光学システム（２）は、前記入射光ビーム（１）の偏光を変更する半波長板と、前記半波長板を回転させる手段とをさらに備えていることを特徴とする請求項３２に記載の機械加工装置（１００）。
【請求項３４】
前記光源（３３）は、ｃｗモノモードのファイバーレーザー又はパルスファイバーレーザーであることを特徴とする請求項１〜３３のいずれか一項に記載の機械加工装置（１００）。
【請求項３５】
前記光源（３３）は、パルス幅が１０ｐｓ未満のレーザーであることを特徴とする請求項１〜３３のいずれか一項に記載の機械加工装置（１００）。
【請求項３６】
前記入射光ビーム（１）のコリメーションを変更する一次光学システム（３１）をさらに具備することを特徴とする請求項１〜３５のいずれか一項に記載の機械加工装置（１００）。
【請求項３７】
前記一次光学システム（３１）の要素は、並進運動可能であることを特徴とする請求項３６に記載の機械加工装置（１００）。
【請求項３８】
前記ミラー（１９）の位置は、前記偏向システム（３２）による移動及び／又は対象物（１０）の位置によって決まることを特徴とする、請求項４又は５に係る請求項３７に記載の機械加工装置（１００）。
【請求項３９】
請求項１〜３８のいずれか一項に記載の機械加工装置（１００）を設ける工程と、
前記光源（３３）の電源を入れて、前記入射光ビーム（１）を得る工程と、
前記ミラー（１９）の法線が３次元空間に軌道を描くよう、前記駆動手段（６）によって前記ミラー（１９）を移動させる工程と、
前記出射光ビーム（７）が前記対象物（１０）に当たるよう該対象物（１０）の位置決めを行う工程と、
を具備することを特徴とする、対象物を機械加工する方法。
【請求項４０】
前記対象物（１０）に負のホールコニシティを得ることを特徴とする請求項３９に記載の方法。
【請求項４１】
前記対象物（１０）に調整可能なホールコニシティを得ることを特徴とする請求項３９に記載の方法。
【請求項４２】
切断したワークピースの負の逃げ角を得ることを特徴とする請求項３９〜４１のいずれか一項に記載の方法。
【請求項４３】
時計製造におけるムーブメント部品の切断を行うことを特徴とする請求項３９〜４２のいずれか一項に記載の方法。
【請求項４４】
自動車のインジェクタポートの穿孔を行うことを特徴とする請求項３９〜４３のいずれか一項に記載の方法。
【請求項４５】
医療機器の微細機械加工を行うことを特徴とする請求項３９〜４４のいずれか一項に記載の方法。
【請求項４６】
前記出射光ビーム（７）による処理の対象である前記対象物（１０）に、直径が制御されたボアホールを形成する自然焦点を中心にリング形状の領域を形成することを特徴とする請求項３９〜４５のいずれか一項に記載の方法。
【発明の詳細な説明】
【技術分野】
【０００１】
第１の態様によれば、本発明は、機械加工装置に関し、特に、光により対象物の機械加工を行う機械加工装置に関するものである。第２の態様によれば、本発明は、光ビーム、好ましくはレーザービームにより対象物又は物質片の機械加工を行う方法に関するものである。
【背景技術】
【０００２】
近年、部品の機械加工には、レーザービームなどの光ビームを用いることができる。実際には、対象物の物質を融解又は蒸発して、穴や、例えば、彫刻デザインを作成したり、要素を二つに分割したりすることができる。
【０００３】
レーザービームにより、線に沿って対象物の機械加工や彫刻を行う装置もある。このような装置は、「１Ｄ機械加工装置」と呼ばれることもある。用途によっては、機械加工により対象物に穴を開けることができる装置が望ましい。
【０００４】
レーザービームが対象物にその表面と垂直に当たる場合、穴や切り口の側面は、その表面と完全に垂直にはならず、通常、そのビームが向けられた表面の法線に対して約４°の角度にオフセットされている。用途によっては、例えば、時計製造など、精密機器の用途において、ある特定の非常に耐性の低い部品にとって、このように処理中の表面に対して側面がずれることは好ましくはない。一つの解決法としては、レーザービームを対象物表面の法線に対して少し傾ける、一般的には、４°より大きい角度に傾ける。
【０００５】
特許文献１には、レーザービームにより空洞を形成する又は物質を除去する装置が記載されている。この文献の図１からも分かるように、光ビームは、対象物と垂直ではない迎え角を有することができる。出射光ビームを集束する前に入射光ビームに対して横方向にオフセットすることができる偏心システムは、ダブプリズム、アッベ・ケーニッヒプリズム、又は、３つのミラーから成るシステムを備えていてもよい。特許文献１に開示されている光学システムは、比較的複雑な光学システムである。具体的には、このシステムは移動式であるため、かなり複雑な駆動手段を設ける必要があり、この駆動手段としては、光ビームの光路に干渉しないようなものを選択しなければならない。また、補償光学システムによって、偏心システムにおける形状誤差を補う必要がある。この補償光学システムは、装置のサイズと重量を両方増大させてしまう。また、補償光学システムは、それ自体がさらなる複雑化につながる。最後に、入射及び出射光ビーム間の横方向オフセットを制御するには、細心の注意が必要となる。
【０００６】
特許文献２には、処理対象の試料や対象物の表面に対して垂直ではない光路に従って、光ビームを対象物に向けることができる光学システムが提案されている。例えば、この文献の図１に示すビーム１１５及び図２に示すビーム１１５’’を参照。このシステムは、入射光ビーム１１２に対してオフセットされた出射光ビーム１１４を得ることができる第１部を備えている。その後、光集束部により対象物に出射光ビーム１１４を集束させる。この光学システムもかなり複雑なシステムである。特許文献１の場合と同様に、このシステムは移動式であるため、専用のかなり複雑な駆動手段を設ける必要があり、この駆動手段としては、光ビームの光路に干渉しないようなものを選択しなければならない。
【先行技術文献】
【特許文献】
【０００７】
【特許文献１】米国特許第７，８４２，９０１号明細書
【特許文献２】米国特許第４，８２２，９７４号明細書
【非特許文献】
【０００８】
【非特許文献１】「Ｌｅｓ  Ｉｎｓｔｒｕｍｅｎｔｓ  ｄ’ｏｐｔｉｑｕｅ．  Ｅｔｕｄｅ  ｔｈｅｏｒｉｑｕｅ，  ｅｘｐｅｒｉｍｅｎｔａｌｅ  ｅｔ  ｐｒａｔｉｑｕｅ」、  ２ｎｄ  Ｅｄ．  Ｌｕｃ  Ｄｅｔｔｗｉｌｌｅｒ、  Ｅｌｌｉｐｓｅ
【非特許文献２】「Ｏｐｔｉｑｕｅ」、  Ｅ  Ｈｅｃｈｔ，  Ｐｅａｒｓｏｎ  Ｅｄｕｃａｔｉｏｎ
【非特許文献３】「光学と光学機器：入門編」、Ｂ．Ｋ．Ｊｏｈｎｓｏｎ，  Ｄｏｖｅｒ
【非特許文献４】「外部ビリヤード：有界領域の外側のシステムと影響」、Ａ．Ｐｌａｋｈｏｖ、シュプリンガー・サイエンス・アンド・ビジネス・メディア
【発明の概要】
【０００９】
第１の態様によれば、本発明の目的の一つは、光ビームにより、より簡単に対象物の機械加工を行う装置を提供することにある。この目的を達成するために、本発明者らは、
光源と、
入射光ビームから、この入射光ビームに対して空間的にオフセットされた出射光ビームを（その出射光ビームが集束手段より上流側で所定の方向と平行なままとなるように）得る光学システムであって、
法線によって定められたほぼ平らな反射面を有し、上記入射光ビームから生じる第１入射光ビームから第１反射光ビームを得るよう構成され、
その法線が３次元空間に軌道を描くことができるよう可動式のミラーを備え、
上記第１入射光ビームと可動ミラーの法線とが、可動ミラーのすべての可能な位置や方向について、０°から１５°の角度１５で離間するよう構成されている、光学システムと、
上記可動ミラーを移動させる駆動手段と、
上記第１反射光ビームから、上記可動ミラーのすべての可能な位置や方向について、ミラーに第２入射光ビームを得るよう、かつ、上記第２入射光ビームからミラーに出射光ビームを得るように可動ミラーに対して位置決めされ、
（本発明の光学システムの）上記可動ミラーのすべての可能な位置や方向について、その可動ミラーに、上記第１反射光ビームと平行な第２入射光ビームを得ることができる、再帰反射システムと、
上記出射光ビームを対象物上に集束させる集束手段と、
を備える機械加工装置を提案している。
【００１０】
上記ミラーの法線は、３次元空間において軌道（運動）を描くことができる。つまり、光学システムは、上記法線が３Ｄ表面、例えば、円すい面、すなわち、平面ではない面を形成できるよう構成されている。可動ミラーの位置や方向に関係なく、出射光ビームは、集束手段より上流側の所定位置と平行なままとなる。これは、特に、再帰反射システムを用いることにより可能となる。
【００１１】
本発明の装置の光学システムは、可動ミラーの位置が変化することで、入射光ビームと出射光ビームとのオフセットを（２次元又は２Ｄに）変化させることができるよう構成されている。つまり、機械加工装置の光学システムは、入射光ビームと出射光ビームとの間の空間オフセットを制御することができる。例えば、出射光ビームは、入射光ビームに対して傾斜してオフセットさせることができる、及び／又は、入射光ビームに対して並進させることができる。そして、このオフセットされた出射光ビームをワークピースに向けて、集束手段を通るワークピースの法線に対してゼロ以外の角度で機械加工を行ってもよい。その結果、彫刻又は穿孔処理において自然に生じるコニシティや、出射光ビームのオフセットを調整することにより、正、中性又は負のコニシティを有するカット、彫刻、ボアホールの機能が補われることになる。
【００１２】
本発明に係る機械加工装置の光学システムでは、駆動手段はミラーの後方に、つまり、入射光ビームにより、ミラーの光を受光しない側に配置されてもよい。従って、本発明に係る光学システムは、移動式ではなく、反射式のものと見なされてもよい。これにより、より簡素な駆動手段（例えば、「ブラシレス」型モータや線形又は圧電位置決めステージなど）を用いることが可能となる。そうすることで、上記光学システムを用いた本発明の機械加工装置も簡素化され、操作だけでなくメンテナンスがより簡単になる。摩耗部分は、通常、可動部分である。本発明の機械加工装置によれば、一般に、可動な要素は一つだけであり、それはミラーである。ミラーは、特許文献１及び特許文献２における移動式部品と比べても安価なものである。また、可動ミラーは、本発明の装置でより簡単にガイドすることができる。これにより、特に、部品の交換が必要な場合に、本発明の機械加工装置のメンテナンスがより簡単になる。特許文献１及び特許文献２では、光学システム、場合によっては、非常に複雑な装置が高速で回転する。本発明の装置では、一つ又は複数の単純な光学システム、すなわち、ミラーを移動させればよいだけである。これによりメンテナンスにかかるコストが節約される。本発明に係る装置は、単純な光学素子を使用し、また、安価であると同時に長持ちする。
【００１３】
本発明の装置は、「２次元（２Ｄ）機械加工装置」と呼ばれることもある。出射光ビームは、集束手段より前方（又は上流側）の３次元空間に軌道（運動）を描くことができる。つまり、本発明の装置の光学システムは、入射及び出射光ビームの間で（一方向だけに沿ってではなく）２Ｄで（少なくとも２つの非平行方向に沿って）オフセットを生じさせることができる。このオフセットに関する２Ｄ特性は、ミラーの法線が３次元空間に軌道を描くことができるため、並びに、再帰反射システム（又は再帰反射器）を用いることにより、本発明の装置で可能となる。同様に、ミラーは、その砲戦が３次元空間に運動を描くことができるよう可動式であると言える。再帰反射システムは、可動ミラーのすべての可能な位置や方向について、第１反射光ビームと平行な第２入射光ビームを可動ミラーに与えることができる。本発明の装置の光学システムによれば、第１入射光ビームと可動ミラーの法線によって定められた面に関係なく、第１反射光ビームと平行な第２入射光ビームを可動ミラーに得ることができる。これは、再帰反射システム（再帰反射器と呼ばれることもある）を用いることによって可能となる。第１反射光ビームと第２入射光ビームは、同じ線に沿って互いに反対の方向を向いているので、第１反射光ビームと第２入射光ビームは非平行であると言える。２つの平面ミラーは、第１入射光ビームと可動ミラーの法線によって定められた面に関係なく、第１反射光ビームと平行な第２入射光ビームを可動ミラーに得ることができないので、それらが再帰反射システムを構成することはない。そのため、例えば、集束手段を含む面では、出射光ビームは、必ずしも平面ではない面に沿った軌跡を描くことができる。このことは、機械加工によって穴を形成可能な装置を求める場合に重要である。本発明の装置では、一つの移動式要素、すなわちミラーだけで出射光ビームのオフセットの「２Ｄ」特性を得ることができる。その結果、駆動手段に対して一つの要素（例えば、一つのモータや一つの圧電素子）しか必要としない。本発明によれば、２つの異なる１Ｄ運動を２つの異なる可動式光学素子に与え、それぞれが入射光ビームと出射光ビーム間の一方向に沿ってオフセットを生じさせることができる、２つの異なる駆動部（例えば、２つのモータ）を同期させるための同期システムを必要としない。
【００１４】
当業者に知られている再帰反射システム（又は再帰反射器）については、例えば、非特許文献１〜４を参照されたい。再帰反射システムは、前方光ビームから後方光ビームを送る（又は得る）ことができる光学素子（又は光学システム）であり、これらの後方及び前方光ビームは、再帰反射システムに対して前方光ビームの全ての可能な入射について平行である（前方及び後方光ビームは、互いに反対方向でありながら、同じ線に沿って進行し、非平行と呼ばれることもある）。この再帰反射システムのさまざまな例を以下に示す。
【００１５】
本発明の装置の光学システムは、第１入射光ビームとミラーの法線とが、可動ミラーのすべての可能な位置や方向について、０°から１５°の角度で離間するよう構成されている。つまり、第１入射光ビームと第１反射光ビーム間の角度は、可動ミラーのすべての可能な位置や方向について、０°から３０°の範囲である。そして、出射光ビームは、集束手段より前方（又は上流側）であり、伝播方向と垂直な面において、円に近い曲線又は円を描くことができる。その結果、集束手段の後方に位置する対象物に、より質の高い穴（及びカット）を形成することができる。詳細な説明から明らかとなるように、本発明の装置のさまざまな好適実施例によれば、このように入射光ビームとミラーの法線とを角度をつけて離間させることが可能となる。
【００１６】
本発明に係る装置によれば、他の利点も得られる。その光学システムは非常にコンパクトである。さまざまな光学素子が存在するため、１次元ではなく、２次元を用いて入射及び出射ビーム間にオフセットを生じさせる。２次元を使って入射及び出射光ビーム間にオフセットを生じさせることにより、空間の有効利用が図られるため、光学システム（ひいては機械加工装置）を比較的小さな寸法で構成することが可能となる。特許文献２号の光学システムは、特に、入射光ビームと出射光ビームとの間に大きな横方向オフセットが求められる場合、かなり大型となる。具体的には、この横方向オフセットは、２つのプリズムを分離することによって定められる。また、本発明に係る装置は比較的軽量でもある。入射及び出射光ビーム間のオフセットは、ミラーと再帰反射システム間の位置を調整するだけで容易に制御可能である。このミラーと再帰反射システムの大きさと重量はいずれも、既知のシステムで用いられるプリズム及び／又はミラーを組み立てたものよりも小さい。結果的に、本発明の装置は、別の理由でも小型で軽量の特徴を有する。すなわち、その光学システムは、光ビームがミラーで２回反射されるため、入射及び出射光ビーム間の横方向オフセットを可能にする光学偏心素子の欠陥による影響がほとんどない。この２回の反射によって、ミラーに関連する誤差や、その考え得る運動を自動的に補正することが可能となる。具体的には、特許文献１の光学システムとは異なり、補償光学システムを設ける必要がない。従って、本発明に係る装置は、ミラーにおける２回の反射により自動補正を行うことができるため、簡素化も図られる。
【００１７】
本発明の機械加工装置によれば、出射光ビームは、可動ミラーの位置や方向に関係なく、集束手段に到達するまで所定の方向と平行なままである。これによって、より質の高い穴やカットを得ることができる。集束手段の上流側では、出射光ビームは、一般に、円柱（又は円柱面）を描くことができる。本発明に係る機械加工装置の光学システムは、集束手段を除き、光強度がニュートラルとなる。集束手段は、出射光ビームを対象物の小さい部分に集束させることができる。一般的に、出射光ビームは、この集束手段より前方（又は上流側）に円柱面を描く。この集束手段については、当業者に知られているさまざまなものを用いてもよい。一つの例としては、収束レンズがある。この場合、この収束レンズは、（集束するまで）出射光ビームの主伝播方向と垂直に配置される。集束手段の他の例としては、テレセントリックレンズがあるが、他の例を用いてもよい。本発明の機械加工装置の光学システムが集束手段を備えていることが好ましい。
【００１８】
本発明に係る装置は、例えば、（完全なリストではないが）彫刻、表面の模様付け、印字、空洞や穴の穿孔など、数多くの用途で使用されてもよい。本発明の機械加工装置によれば、集束手段より下流側にある対象物の非常に小さい部分（ほぼ点）に出射光ビームを集束又は集光させることができる。そのため、本発明の装置は、レーザー機械加工装置やレーザー彫刻装置と呼ばれることもある。
【００１９】
駆動手段としては、当業者に知られているさまざまなタイプのものを使用してもよい。一つの例としては、モータ、好ましくは、電気モータがあるが、他の例が用いられてもよい。この駆動手段は、可動ミラーに機械的に接続されている。
【００２０】
光源は、入射光ビームを生成することができる。この光源としては、レーザー光源が好ましい。レーザーとしては、例えば、連続レーザーであっても、パルスレーザーであってもよい。この生成されたレーザービームは、波長が０．２μｍから２μｍ、より好ましくは、１μｍのビームであるが、これとは異なる波長を有する他のレーザービーム（ひいてはレーザー光源）を用いてもよい。そのため、光ビームの波長は、例えば、２００ｎｍから１５μｍまでの範囲であってもよい。入射光ビームは、円形に偏光されることが好ましい。光学システムは、入射及び出射光ビーム間の偏光を維持可能であることが好ましい。
【００２１】
ミラーは、
再帰反射システムに向かって、第１反射光ビームに従って、第１入射光ビームを反射させ、
第２入射光ビームを反射させて、この２回目の反射により出射光ビームを得ることができるよう配置されている。
【００２２】
可能な一好適実施例によれば、上記機械加工装置は、その光学システムが、第１入射光ビームと可動ミラーの法線とが、その可動ミラーのすべての可能な位置や方向について、０．０１°から５°の角度で離間するよう構成されていることを特徴とする。これにより、集束手段より前方（又は上流側）であり、主伝播方向と垂直な面において出射光ビームによって描かれた曲線がさらに円に近づく、又は、完全な円となるので、機械加工の対象物にさらに質の高い穴を形成することができる。
【００２３】
可能な一好適実施例によれば、上記機械加工装置は、その光学システムが、第１入射光ビームと可動ミラーの法線とが、その可動ミラーのすべての可能な位置や方向について、０．１°から３°の角度で、好ましくは０．５°の角度で離間するよう構成されていることを特徴とする。これにより、集束手段より前方であり、主伝播方向と垂直な面において出射光ビームによって描かれた曲線がさらに円に近づく、又は、完全な円となるので、さらに質の高い穴を形成することができる。
【００２４】
可能な一実施例によれば、本発明の機械加工装置は、機械加工の（すなわち、上記出射光ビームが照射される）対象物を移動させる手段（又は位置決め手段）を備えている。この位置決め手段としては、当業者に知られているさまざまなものを用いることができる。
【００２５】
本発明者らによって提案された装置は、集束手段より上流側で出射光ビームを偏向させる偏向システムを備えていることが好ましい。従って、この偏向システムは、光学システムの出力と集束手段の間（光学システムに第２ビーム誘導システムが含まれる場合は、その第２ビーム誘導システムと集束手段の間）に備えられている。この好適な変形例によれば、現在知られているものよりはるかに大きなマーキング領域を得ることができる。従って、例えば、１０×１０ｍｍから４０×４０ｍｍの大きさのマーキング領域を得ることができる。前項で述べたように、本発明者らによって提案された装置は、機械加工又は彫刻の対象物をシフト又は移動させる手段をさらに備えていてもよい。可動ミラーの位置（例えば、角度位置）は、偏向システムによって生じた運動及び／又は対象物の位置によって決まってもよい。機械加工の対象物を移動させる位置決め手段と、集束手段より上流側で出射光ビームをシフトさせる偏向システムは単体で用いることもできるし、組み合わせて用いることもできる。一般的には、偏向システム（例えば、スキャナー）は、対象物を移動可能な位置決め手段と比べて、運動速度を高めることができる。
【００２６】
可能な一好適実施例によれば、可動ミラーは、その法線に対する割線である回転軸を中心に完全に回転することができ、駆動手段は、そのミラーに回転軸を中心とした回転運動をさせることができる。つまり、本好適な実施例によれば、ミラーは、回転軸を中心に完全な回転（３６０°）を描くことができる。本好適な実施例では、駆動手段は、回転軸を中心としたミラーの完全な回転又は回転運動を発生させることができる。そして、駆動手段は、「ブラシレス」タイプの電気モータを備えていることが好ましい。集束手段より上流側では、本好適な実施例によれば、出射光ビームは、通常、円柱面を描き、ミラーの位置や方向に関係なく、所定方向と平行なままである。本好適な実施例によれば、出射光ビームに、集束手段より後方（又は下流側）に歳差運動を描かせることが特に容易となる。このような運動は、機械加工が施された端部がすべて、機械加工が行われている部品（又は対象物）の表面と垂直となるようにする場合に好ましい。従来技術の考察で述べたように、レーザービームが対象物にその表面と垂直な方向で当たる場合、その側面は、その表面と完全に垂直にはならず、通常、約４°の角度でオフセットされる。特許文献１及び特許文献２に記載のシステムとは異なり、本発明の装置の光学システムにおける駆動手段の駆動軸は、ここで光ビームがたどる光路とは干渉せず、いくつかの好適な実施例では、傾斜した可動ミラーの後方にしか存在しない。つまり、回転可能な傾斜したミラーは、入射光ビームから生じる光ビームが横切らない部分（例えば、後部）を有することができる。従って、駆動手段は、そこに光路に干渉せずに配置してもよい。こうして、本発明に係る装置は、簡素化と低コスト化が図られる。特許文献１及び特許文献２に記載のシステムでは、出射光ビームの歳差運動を発生させたい場合、光ビームを通過させる中空軸が必要となる。それと同時に、回転可能な部品数が、本発明の装置では傾斜されたミラーに限られ、特許文献１及び特許文献２のプリズムに比べて、より簡単かつ容易に回転させることができる。このため、駆動手段は、より小型で強度の低いものであってもよく、本発明の装置全体のさらなる小型化及び軽量化が図られる。特許文献１及び特許文献２に記載のような回転システムは、一般的に、例えば、３０，０００ｒｐｍと非常に高速な回転を行える必要がある。回転が必要な要素のサイズと重量が増大するにつれて、それらを回転させるのがより困難になる。例えば、特許文献１に記載するもののように、回転させる要素が大きくかつ重い場合、例えば、水冷システムなどの冷却システムを設ける必要がある。ミラーが回転可能である一好適実施例では、ミラーは、例えば、毎分１００から２０００００回転の速度（ｒｐｍ）で、より好ましくは、１０００から１０００００ｒｐｍで回転させてもよい。その方向を２つ以上の非平行方向に対して変更可能なミラー（回転軸を中心に完全な回転運動をせずに傾斜可能なミラー）に関しては、回転可能なミラーを用いた機械加工装置の一好適実施例によれば、以下の利点が得られる。すなわち、機械加工により穴を形成する場合に効率化が図られ、ミラーの方向をより迅速に変更することができ、振動が少なくて済��。方向を変更する動きに比べて、回転運動がより連続的に行われる。
【００２７】
ミラーが回転可能な場合、その回転軸とミラーの法線とは、通常、並行ではない。ミラーの回転軸の方向は、変更可能であることが好ましい。回転軸とミラーの法線との間の最大角度は、０．１°から２°であることが好ましく、０．５°であることがさらに好ましい。
【００２８】
他の可能な実施例によれば、ミラーは、２つ以上の方向に対して傾斜可能であり、駆動手段は、それらの２つ以上の方向についてミラーの傾斜を変更可能である。この場合、駆動手段は、一つ又は複数の圧電位置決めステージや三脚やＭＥＭＳを備えていることが好ましい。集束手段より上流側では、通常、出射光ビームは、本好適な実施例によれば、円柱面を描き、ミラーの方向に関係なく、所定の方向と平行なままとなる。本好適な実施例によれば、ミラーの傾斜は、２つ以上の方向に変更可能である。傾斜運動は、軸を中心とした、好ましくは、ミラーの平らな反射面における（部分的な）回転運動として見られてもよい。回転運動（又は完全な回転）を描くことができるミラーに関して、２つ以上の方向に対して傾斜可能なミラーを用いた機械加工装置の好適な実施例によれば、以下の利点が得られる。すなわち、円形ではない穴の形成がより簡単になる。例えば、出射光ビームに所定の軌道を与えることがより容易となるので、四角形の穴の形成がより簡単になる。例えば、四角形の穴の形成には、４つの選択した方向に沿って、４つの運動を行う必要がある。
【００２９】
可能な一実施例によれば、ミラーは、並進運動可能（又は並進方向に自由かつ移動可能）であり、駆動手段は、このミラーに並進運動を行わせることができる。本実施例では、駆動手段は、ミラーに、再帰反射システムに対して一つ又は複数（例えば、２つ）の方向に沿って並進運動を行わせることができる。この場合、駆動手段は、線形位置決めステージを備えていることが好ましいが、他の形態を用いてもよい。本好適な実施例によれば、（集束手段より前方で）入射及び出射光ビーム間の横方向オフセットを容易に変更可能となる。ミラーの位置を変化させることによって、光路長、ひいては横方向オフセットを変更することができる。これについては、詳細な説明からより明らかとなるであろう。このオフセットの制御も、ミラーの位置に基づいて行われるため、非常に簡単である。
【００３０】
他の可能な実施例によれば、再帰反射システムは、並進運動可能（又は並進方向に自由かつ移動可能）であり、駆動手段は、この再帰反射システムに並進運動を行わせることができる。ミラーを移動可能な駆動手段は、この再帰反射システムを移動可能な駆動手段とは異なる。
【００３１】
可能な一実施例によれば、光学システムは、第１及び第２入射光ビームが、ミラーの同じ平らな反射面に当たることができるよう構成されている。そして、本発明の装置は、ミラーの光ビームが横切らない側に駆動手段を配置することができるので、特に単純である。
【００３２】
他の可能な実施例によれば、ミラーは、２つのほぼ平らな反射面を有し、
各反射面は、法線によって画定され、
一方の反射面は、入射光ビームから生じる第１入射光ビームから第１反射光ビームを得て、
もう一方の反射面は、第２入射光ビームを反射させて出射光ビームを得る。
この場合、第１及び第２入射光ビームは、ミラーの２つのことなる反射面に当たる。これにより、第１及び第２入射光ビームが２つの異なる面に当たる際、入射光ビームをミラーの法線方向付近に維持しつつ、より小型のミラーを用いることができる。
【００３３】
再帰反射システムは、光ビームの偏光、具体的には、第１反射光ビームの偏光を維持することができる。これにより、第１反射光ビームのパワー損失を軽減又は回避することができる。詳細な説明から明らかとなるように、偏光を維持可能な再帰反射システムとしては、さまざまな可能な実施例がある。再帰反射システムでは、さまざまな平面（又は平坦な）反射面において、さまざまな反射が生じる。直線偏光を維持するための再帰反射システムについては、以下のような２つの実施例が考えられる。
再帰反射システムの第１平面反射面で、その第１平面反射面と平行な直線偏光により偶数回反射を行い、第２平面反射面で、その第２平面反射面と垂直な面に属する直線偏光により奇数回反射を行う。
再帰反射システムの第１平面反射面で、その第１平面反射面と平行な直線偏光により奇数回反射を行い、再帰反射システムの第２平面反射面で、その第２平面反射面と垂直な面に属する直線偏光により偶数回反射を行う。
偏光を維持可能な再帰反射システムは、
ダブプリズムと直角二等辺プリズム、又は
ダブプリズム、半波長遅延板、ルーフプリズム、偏光ビームスプリッターキューブ、又は
ダブプリズムと２つのミラー、又は
５つのミラー、
を備えていることが好ましい。
上記以外の例も可能である。
【００３４】
上記再帰反射システムは、さまざまな光学素子を備えることができる。本項では、非限定的な例を挙げる。
可能な一実施例によれば、再帰反射システムは、キューブコーナーを備えている。これに関連する利点としては、単純な光学素子を一つしか必要とせず、本発明の装置も特に単純である。
他の可能な実施例によれば、再帰反射システムは、ダブプリズムと直角二等辺プリズムを備えている。これにより、再帰反射システムが非常に簡素化されるので、偏光を維持しつつ、非常に単純な機械加工装置を得ることができる。
さらに他の可能な実施例によれば、再帰反射システムは、（ダブプリズムと直角二等辺プリズムに加えて）半波長遅延板、ルーフプリズム（例えば、当業者に知られているアミチルーフプリズム）、偏光ビームスプリッターキューブをさらに備えている。これらのうちのいくつかを組み合わせて用いることもできる。例えば、再帰反射システムは、２つのミラーとダブプリズム、２つのルーフプリズムとダブプリズム、５つのミラー、ダブプリズムとルーフプリズムから構成することができる。その他の組み合わせやその他の実装も可能である。
【００３５】
本発明の機械加工装置の光学システムは、入射光ビームを偏向することによって、第１入射光ビームを得る第１ビーム誘導システムを備えていることが好ましい。本好適な実施例によれば、ミラーへの第１入射光ビームを得る第１ビーム誘導システムによって、（例えば、約９０°に）入射光ビームを偏向させることができる。このような好適な実施例によれば、既知のシステムと比べて、さらなる小型化を図ることができる。ミラーは、それを移動可能な駆動手段と上記第１ビーム誘導システムとの間に配置することが好ましい。本好適な実施例によれば、可動ミラーと容易に接続な可能な非常に単純な駆動手段を用いることができる。第１ビーム誘導システムによれば、好ましくは３０°から１５０°、より好ましくは６０°から１２０°、さらに好適な変形例によれば、９０°の角度で入射光ビームを偏向させることができる。
【００３６】
本発明の機械加工装置の光学システムは、ミラーに入射した第２入射光ビームの反射を偏向させることによって出射光ビームを得る第２ビーム誘導システムを備えていることが好ましい。本好適な実施例によれば、第２ビーム誘導システムによって、第２入射光ビームの反射を、例えば、９０°に偏向させることができる。このような好適な実施例によれば、既知のシステムと比べて、さらなる小型化を図ることができる。ミラーは、それを移動可能な駆動手段と上記第２ビーム誘導システムとの間に配置することが好ましい。本好適な実施例によれば、可動ミラーと容易に接続な可能な非常に単純な駆動手段を用いることができる。第２ビーム誘導システムによれば、好ましくは３０°から１５０°、より好ましくは６０°から１２０°、さらに好適な変形例によれば、９０°の角度で光ビームを偏向させることができる。
【００３７】
第１（又は第２）ビーム誘導システムは、例えば、（偏光）ビームスプリッターキューブ、及び／又は、第１の１／４波長遅延板から構成することができる。第１及び第２ビーム誘導システムは、２つの異なる要素であり、同じ光学特性を有することが好ましい。
【００３８】
第１及び第２ビーム誘導システムを用いることによって、本発明の光学システムは、他の既知のシステムと比べて、さらなる小型化を図ることができる。２次元を使って入射及び出射光ビーム間にオフセットを生じさせることにより、空間の有効利用が図られるため、光学システムを比較的小さな寸法で構成することが可能となる。特許文献２号の光学システムは、特に、入射光ビームと出射光ビームとの間に大きな横方向オフセットが求められる場合、かなり大型となる。具体的には、この横方向オフセットは、２つのプリズムを分離することによって定められる。第１及び第２ビーム誘導システムを使用した場合、入射及び出射光ビームは、通常、互いに平行であり、両者間のオフセットは「横方向」である。可動ミラーは、駆動手段と第１（又は第２）ビーム誘導システムとの間に配置されることが好ましい。
【００３９】
一好適な実施例によれば、本発明者らは、
光源と、
入射光ビームから、その入射光ビームに対して空間的にオフセットされる出射光ビームを（その出射光ビームが集束手段より上流側で所定の方向と平行なままとなるように）得る光学システムであって、
入射光ビームを偏向させることによって、第１入射光ビームを得る第１ビーム誘導システムと、
第１入射光ビームから第１反射光ビームを得る可動ミラーと、
上記可動ミラーを動かす（又は移動させる）駆動手段と、
上記第１反射光ビームから、上記ミラーに入社した第２光ビームを得る再帰反射システムと、
上記ミラーに入射した第２光ビームの反射を偏向させることによって、出射光ビームを得る（上記第１ビーム誘導システムとは異なる）第２ビーム誘導システムと、
上記出射光ビームを対象物上に集束させる集束手段と、
を備えた光学システム、
を具備し、
上記光学システムは、可動ミラーの位置の変化によって、入射光ビームと出射光ビームとの間の空間オフセットを変化させることができるよう構成されている、機械加工装置を提案している。
ミラーは、法線によって定められた平らな反射面を有することが好ましい。
第１及び第２ビーム誘導システムは、２つの異なる要素であり、同じ光学特性を有することが好ましい。
ミラーは並進運動可能であり、駆動手段は、そのミラーに並進運動を行わせることができることが好ましい。
ミラーは傾斜可能であり、駆動手段は、そのミラーの傾斜を変更可能であることが好ましい。ミラーは、２つ以上の非平行方向に対して傾斜可能であることが好ましい。
ミラーは回転可能であり、駆動手段は、そのミラーを、その平らな反射面の法線に対して平行ではない（例えば、割線である）回転軸を中心に回転させることができることが好ましい。
ミラーは、駆動手段と第１ビーム誘導システム及び／又は第２ビーム誘導システムとの間に配置されていることが好ましい。
集束手段より上流側では、本好適な実施例によれば、出射光ビームは、通常、円柱面を描き、ミラーの位置や方向に関係なく、所定方向と平行なままである。
【００４０】
第１及び第２ビーム誘導システムは同じ仕様であることが好ましい。例えば、第１及び第２ビーム誘導システムの第１及び第２偏光ビームスプリッターキューブは同じ仕様である。他の例によれば、第１及び第２ビーム誘導システムの第１及び第２の１／４波長遅延板は同じ仕様である。
【００４１】
本発明の機械加工装置の光学システムは、入射光ビームの偏光を変更する回転可能な半波長板と、この半波長板を回転させる手段とをさらに備えていることが好ましい。光学システムが第１及び第２偏光ビームスプリッターキューブを備えている場合、この回転可能な半波長板は、スイッチとして機能することができる。この回転可能な半波長板を回転させることにより、光ビームの偏光が回転する。そして、光ビームが第１及び第２偏光ビームスプリッターキューブで反射されて、オフセットされた出射光ビームが得られるよう、半波長板の位置を選択することができる。半波長板の他の位置によれば、光ビームは、偏向せずに、第１及び第２偏光ビームスプリッターキューブを透過する。そして、出射光ビームは、入射光ビームから空間的にオフセットされない。ミラーが回転すると、歳差運動をたどる又はたどらない出射光ビームを得ることができる。
【００４２】
本発明の機械加工装置のミラーは、第１ビーム誘導システム、再帰反射システム、第２ビーム誘導システムのうちの少なくとも一つの要素に対して可動である。好適な変形例によれば、ミラーは、上記３つの要素すべてに対して可動である。
【００４３】
ミラーの数多くの可能な位置に関して、ミラーを、第１ビーム誘導システムに対して、第１入射光ビームと第１反射光ビームとがたどる光路が異なるよう配置する。ミラーの数多くの可能な位置に関して、ミラーを、再帰反射システムに対して、第２入射光ビームとミラーでの反射とがたどる光路が異なるよう配置する。
【００４４】
本発明の機械加工装置の光源は、例えば、ｃｗモノモードのファイバーレーザー又はパルスファイバーレーザーである。他の可能な実施例によれば、光源は、パルス幅が１０ｐｓ未満のレーザー光源である。本発明者らに提案された装置は、入射光ビームのコリメーションを変更する一次光学システムを備えていることが好ましい。この好適な変形例によれば、光ビームの広がりによって、直径が正確に制御されたボアホールを形成するために、自然焦点の周りに環状（又はドーナツ型）の迎え領域を形成することができる。穴の直径は、入射光ビームの非コリメーションの大きさに応じて制御することができる。この一次光学システムの一つの要素（例えば、レンズ）は、好適な変形例では、並進運動可能である。
【００４５】
本発明者らに提案された機械加工装置によれば、負のコニシティ又は逃げ角を得ることができる。また、時計製造におけるムーブメント部品の切断を行うことができる。さらに、自動車のインジェクタポートを形成したり、医療機器の微細機械加工を行うのに用いることもできる。本発明者らに提案された機械加工装置は、調整可能なコニシティを有する穴、具体的には、ゼロコニシティを有する穴の形成に用いることもできる。
【００４６】
第２の態様によれば、本発明者らは、
上記機械加工装置を設ける工程と、
光源の電源を入れて、入射光ビームを得る工程と、
ミラーの法線が３次元空間（平面ではない面）に軌道を描くよう、駆動手段によってミラーを移動させる工程と、
位置決め手段によって、出射光ビームが対象物に当たるよう該対象物の位置決めを行う工程と、
を備えた、対象物を機械加工する方法を提案している。
本発明の方法は、対象物に負のホールコニシティを形成するのに用いることができる。
本発明の第１の態様にかかる機械加工装置について説明した利点は、第２の態様に係る方法にも準用される。上記に説明したような本発明の第１の態様にかかる機械加工装置についてのさまざまな変形例は、本発明に係る方法にも準用される。
【００４７】
本発明の上記及び他の態様は、以下の図面を参照して、本発明の特定の実施例の詳細な説明において明らかとなる。
図面は原寸に比例するものではない。図中、類似の構成要素については、概して、類似の符号が付される。図中における符号の有無については、それらの符号が特許請求の範囲にも含まれるものであっても、制限的なものと考えるべきではない。
【図面の簡単な説明】
【００４８】
【図１】本発明の第１の態様に係る機械加工装置の例示的な実施例を概略的に示す図である。
【図２】本発明の機械加工装置に含まれる光学システムの例示的な実施例を示す図である。
【図３】本発明の機械加工装置に含まれる光学システムの他の例示的な実施例を示す図である。
【図４】本発明の機械加工装置に含まれる光学システムの他の例示的な実施例を示す図である。
【図５】本発明の機械加工装置に含まれる光学システムの一つの好適な実施例を示す図である。
【図６】本発明の機械加工装置に含まれる光学システムの他の好適な実施例を示す図である。
【図７】本発明の機械加工装置に含まれる光学システムの他の好適な実施例を示す図である。
【図８】本発明の機械加工装置に含まれる光学システムの他の好適な実施例を示す図である。
【図９ａ】偏光が維持された反射の２つの可能な構成を概略的に示す図である。
【図９ｂ】偏光が維持された反射の２つの可能な構成を概略的に示す図である。
【図１０】再帰反射システムの一つの可能な例を示す図である。
【図１１】本発明の第１の態様に係る可能な機械加工装置を概略的に示す図である。
【図１２】本発明の第１の態様に係る他の可能な機械加工装置を概略的に示す図である。
【発明を実施するための形態】
【００４９】
図１は、本発明の第１の態様に係る機械加工装置１００の例示的な実施例を概略的に示す図である。この機械加工装置１００は、入射光ビーム１を発生させる、例えば、レーザー光源などの光源３３を備えている。機械加工装置１００は、この入射光ビーム１から、該入射光ビーム１に対して空間的にオフセットされた出射光ビーム７を得る光学システム２をさらに備えている。図１に示すように、出射光ビーム７は、例えば、収束レンズなどの集束手段９によって、対象物１０上に集束される。このような集束手段９は、機械加工装置１００の一部であり、好ましくは、その光学システム２の一部である。また、図１に示す実施例では、機械加工装置１００は、対象物１０を移動させる位置決め手段６０も備えている。対象物１０は、通常、出射光ビーム７に対して対象物１０の所望の位置決めを行うための上記位置決め手段６０上に載置されている。光学システム２は、集束手段９より前方（又は上流側）では、出射光ビーム７の回転運動を生じさせることが好ましい（その場合も、出射光ビーム７は、集束手段９より上流側では所定の方向と平行なままである）。そして、この出射光ビーム７は、集束手段９より下流側では、機械加工が行われる対象物１０の点１１（又は小部分１１）を中心として歳差運動を行うことができる。
【００５０】
位置決め手段６０は、並進ポジショナ、例えば、ＣＮＣ式機械などの５軸システムであってもよい。ミラー１９が回転可能である場合、このミラー１９を対象物１０の位置に関係なく連続回転させたり、そのまた一方で、対象物１０をその位置によって決まる角度で処理するために、対象物１０の位置に基づいて、ミラー１９の角度位置を定めることができる。
【００５１】
図２は、本発明に係る機械加工装置１００の光学システム２の例示的な実施例を示す図である。入射光ビーム１は、光源３３から生じ、主に光学システム２外で移動する光ビームであるのに対し、第１入射光ビーム４は、その光学システム２内のみで移動するものである。この第１入射光ビーム４は、入射光ビーム１の偏向から得られることもあれば（図３及び図５乃至図７などのいくつかの可能な実施例参照）、得られないこともある（図２及び図４に示す例）。図２に示す実施例では、第１入射光ビーム４及び入射光ビーム１は、同じ線形軌道に沿ったものである。光学システム２は、第１入射光ビーム４の反射により第１反射光ビーム２３を得ることができる可動ミラー１９をさらに備えている。また、光学システム２は、この第１反射光ビーム２３がミラー１９に帰ってくるように方向付ける再帰反射システム２１も備えている。つまり、この再帰反射システム２１のおかげで、ミラー１９への第２入射光ビーム８が第１反射光ビーム２３から得られる。この第２入射光ビーム８がミラー１９に反射することにより、出射光ビーム７が得られる。光学システム２は、出射光ビーム７を入射光ビーム１から空間的にオフセットすることができるよう（そして、この出射光ビーム７が集束手段９より上流側で所定の方向と平行なままとなるよう）構成されている。図２に示す例では、入射光ビーム１及び出射光ビーム７は、横方向にオフセットされている。図２に示す実施例では、ミラー１９は、回転軸５を中心に完全に回転可能であり、駆動手段６は、その回転軸５を中心にミラー１９を回転させることができる。機械加工装置１００の光学システム２は、第１入射光ビーム４とミラー１９の法線１６とが、可動ミラー１９のすべての可能な位置や方向について、０°から１５°の範囲、好ましくは０．０１°から５°の範囲、さらに好ましくは０．１°から３°の範囲の角度１５で離間している（この角度１５は、明確にするために、図２では原寸通りに描かれてはいない）。光学システム２は、ミラー１９と再帰反射システム２１との位置の変化によって、入射光ビーム１と出射光ビーム７との間の空間オフセットを変化させることができるよう構成されている。図２に示す実施例では、ミラー１９の角度位置に応じて、出射光ビーム７が異なる軌道をたどることになる。光学システム２は、この出射光ビーム７を対象物１０上に集束させる集束手段９を備えている。図２の実施例では、ミラー１９の回転によって生じる出射光ビーム７の回転運動が、機械加工が行われる点１１を中心とした機械加工光ビーム（光集束９より下流側の出射光ビーム７）の歳差運動を駆動する働きをすることができる。これを、図２では、円を描く矢印で示す。
【００５２】
光学システム２の駆動手段６には、ミラー１９の回転運動に加えて、ミラー１９に並進運動を与える手段、及び／又は、ミラー１９の傾斜を変更する手段がさらに含まれていてもよい（ミラー１９は２つ以上の非平行方向に傾斜可能であり、駆動手段は、圧電システムなどのように、ミラー１９の傾斜を変更可能である）。ミラー１９に関して並進運動と回転運動とを組み合わせることについては、図６に関連して説明する。具体的には、ミラー１９と再帰反射システム２１との間の相対的な回転運動により、集束手段９の向こう側において出射光ビーム７の歳差運動を得ることができるのに対して、その両者間の相対的な並進運動により、集束手段９の向こう側において出射光ビーム７が対象物１０に当たる角度を変更することができる。
【００５３】
この駆動手段６の例としては、電気モータやブラシレスモータが挙げられるが、それ以外の駆動手段６を用いてもよい。
【００５４】
図２の光学システム２の再帰反射システム２１は、ダブプリズム２９と直角二等辺プリズム３０から構成されている。以下に説明するように、その他の例も可能である。
【００５５】
図３は、機械加工装置１００に含まれる光学システム２の他の例示的な実施例を示す図である。ここでは、再帰反射システム２１は、ダブプリズム２９、直角二等辺プリズム３０、半波長遅延板４５、ルーフプリズム３５、偏光ビームスプリッターキューブ５０から構成されている。駆動手段６は、この再帰反射システム２１に対してミラー１９を回転させることができる。駆動手段６には、ミラー１９と再帰反射システム２１との間の相対的な並進運動を生じさせる手段、及び／又は、ミラー１９と再帰反射システム２１との間の相対的な傾斜を変更する手段がさらに含まれていてもよい。図３に示す実施例では、光学システム２は、入射光ビーム１の偏向により、ミラー１９への第１入射光ビーム４を得る第１ビーム誘導システム２０をさらに備えている。この第１ビーム誘導システム２０は、例えば、偏光ビームスプリッターキューブであってもよい。また、当業者に知られている他の光学素子を用いてもよい。図３に示す実施例では、ミラー１９が、半波長遅延板を一枚しか必要としない小型のものであるなど、いくつかの利点を示す。
【００５６】
図４は、機械加工装置１００に含まれる光学システム２の他の例示的な実施例を示す図である。ここでは、再帰反射システム２１は、ダブプリズム２９、直角二等辺プリズム３０、半波長遅延板４５、ルーフプリズム３５、偏光ビームスプリッターキューブ５０から構成されている。駆動手段６は、この再帰反射システム２１に対してミラー１９を回転させることができる。駆動手段６には、ミラー１９と再帰反射システム２１との間の相対的な並進運動を生じさせる手段、及び／又は、ミラー１９と再帰反射システム２１との間の相対的な傾斜を変更する手段がさらに含まれていてもよい。
【００５７】
他の可能な実施例によれば、図２乃至図４のミラー１９は、回転が固定されているが、２つ以上の非平行方向に傾斜可能であり、駆動手段６は、その２つ以上の方向について、ミラー１９の傾斜を変更可能である。
【００５８】
図２乃至図４に示す異なる実施例では、第１入射光ビーム４とミラー１９の法線１６とがなす角度１５は、明確にするために、原寸通りに描かれてはいない。上述したように、この角度は、可動ミラー１９のすべての可能な位置や方向について、０°から１５°の範囲、好ましくは０．０１°から５°の範囲、より好ましくは０．１°から３°の範囲、さらに好ましくは０．５°の角度である。
【００５９】
図５は、機械加工装置１００に含まれる光学システム２の一つの好適な実施例を示す図である。この光学システム２は、以下の要素から構成されている。
入射光ビーム１を偏向することにより、第１入射光ビーム４が得られる第１ビーム誘導システム２０。
第１入射光ビーム４を反射して第１反射光ビーム２３を得る、傾斜した可動ミラー１９。この可動ミラー１９は、その法線１６が第１入射光ビーム４とは平行にならないよう傾斜している（明確にするために、法線１６は図５では図示されていない）。可動ミラー１９は、入射光ビーム１と出射光ビーム７との間に横方向オフセットを生じさせる働きをするため、偏心システム３と呼ばれることもある。図５に示す好適な例では、ミラー１９は回転可能であるので、回転軸５を中心に完全に回転することができる。
可動ミラー１９を動かす（図５の例では回転させる）駆動手段６。
可動ミラー１９の方向に関係なく、第１反射光ビーム２３から可動ミラー１９に入射し、その第１反射光ビーム２３と平行な第２光ビーム８を発生させる再帰反射システム２１。
可動ミラー１９に入射した第２光ビーム８の反射により得られた光ビームを偏向させることによって出射光ビーム７を得る第２ビーム誘導システム２２。
対象物１０の点１１に出射光ビーム７を集束させる集束手段９。
傾斜した可動ミラー１９が回転運動を行うことにより、出射光ビーム７は、集束手段９の向こう側で、対象物１０の集束点１１を中心に歳差運動を描く。集束点１１は、例えば、機械加工点１１である。回転軸５を中心に完全に回転可能なミラー１９ではなく、平行ではない少なくとも２つの方向に傾斜可能なミラー１９と、その非平行方向についてミラー１９の傾斜を変更可能な駆動手段６を用いることもできる。
【００６０】
図５に示す光学システム２は、以下のように機能してもよい。入射光ビーム１が光学システム２に進入する。この入射光ビーム１は、第１ビーム誘導システム２０によって、傾斜した可動ミラー１９に向けられ、第１入射光ビーム４を形成する。この第１入射光ビーム４は、傾斜した可動ミラー１９で反射する。入射光ビーム１がミラー１９で反射することにより得られた第１反射光ビーム２３は、再帰反射システム２１に向かって進む。この第１反射光ビーム２３が再帰反射して、ミラー１９のすべての位置や方向について、第１反射光ビーム２３と平行な、ミラー１９への第２入射光ビーム８が得られる。この第２入射光ビーム８は、ミラー１９で反射し、このように反射した光ビームは、第２ビーム誘導システム２２によって偏向されて、出射光ビーム７が得られる。出射光ビーム７は、出口に向けられて、入射光ビーム１に対して横方向にオフセットされる。集束手段９によって、この出射光ビーム７を点１１に集束させることができる。
【００６１】
集束手段９より前方の出射光ビーム７と入射光ビーム１とのオフセットは、傾斜したミラー１９での２度の反射で光ビームが伝播する距離、及び、傾斜したミラー１９の法線１６と回転軸５とがなす角度の特定の関数である。
【００６２】
傾斜したミラー１９が回転すると、傾斜したミラー１９の法線１６が歳差運動を描くため、出射光ビーム７も回転を始める。具体的には、ミラー１９が連続回転すると、出射光ビーム７も、ミラー１９と同じ回転速度で、図５に点鎖線で示す軸を中心に連続回転を行う。
【００６３】
図５に示すように、出射光ビーム７は、光集束手段９によって対象物１０に集束される。出射光ビーム７の回転運動は、機械加工が行われる点１１を中心とした機械加工光ビーム（光集束手段９の下流側のビーム）の歳差運動を駆動する働きをする。
【００６４】
図５の好適な実施例は、いくつかの利点を示す。第１及び第２入射光ビーム４、８は、（第１及び第２ビーム誘導システム２０、２２が行う約９０°の偏向や、この第１及び第２ビーム誘導システム２０、２２に対するミラー１９の相対位置のおかげで）ほぼ９０°に近い、すなわち、ミラー１９の法線１６にほぼ近い角度に選択可能な角度でミラー１９に当たる。これにより、集束手段９の向こう側に、出射光ビーム７によってほぼ完全な円の歳差輪を描くことができる。第１及び第２入射光ビーム４、８は、（ミラー１９の位置に関係なく、第２入射光ビーム８は、第１反射光ビーム２３と平行なので）同じ入射角でミラー１９に当たる。これにより、機械加工の品質を向上させることができる。
【００６５】
出射光ビーム７と入射光ビーム１との横方向オフセットの調整は、光ビームが第１及び第２ビーム誘導システム２０、２２間を伝播する距離を変更することで、つまり、第１入射光ビーム４、第１反射光ビーム２３、第２入射光ビーム８、そして、この第２入射光ビーム８がミラー１９に反射することで得られる光ビームの光路長を調整することにより行ってもよい。
【００６６】
光ビームが第１及び第２ビーム誘導システム２０、２２間を伝播する距離については、第１ビーム誘導システム２０と第２ビーム誘導システム２２に対してその位置を変更するような並進運動２４をミラー１９に行わせることにより変更を行ってもよい。
【００６７】
この原理については、ミラー１９が同様に回転可能である好適な実施例に関して、図６に示す。図６に示す並進運動２４は、一方向のみに沿ったものである。しかしながら、２次元又は３次元の並進運動を可動ミラー１９に行わせることができるような駆動手段６を設けることも可能である。他の可能な実施例によれば、ミラー１９が回転可能であり、再帰反射システム２１が並進運動可能である。そして、駆動手段６は、ミラー１９を回転させ、再帰反射システム２１を並進運動させることができることが好ましい。
【００６８】
図６を参照すると、光ビームが第１及び第２ビーム誘導システム２０、２２間を伝播する距離は、ミラー１９が第１ビーム誘導システム２０と第２ビーム誘導システム２２から遠ざかるにつれて増大し、そして、集束手段９に到達する前の出射光ビーム７と入射光ビーム１との横方向オフセットも同様に増大する。反対に、光ビームが第１及び第２ビーム誘導システム２０、２２間を伝播する距離は、ミラー１９が第１ビーム誘導システム２０と第２ビーム誘導システム２２に近づくにつれて減少し、これにより、集束手段９に到達する前の出射光ビーム７と入射光ビーム１との横方向オフセットも縮小する。
【００６９】
光集束手段９を光学システム２の下流側に実装する場合、ミラー１９と第１及び第２ビーム誘導システム２０、２２との距離を変更することにより、出射光ビーム７をさまざまな入射角で対象物１０の点１１に向けることが可能となる。
【００７０】
第１及び第２ビーム誘導システム２０、２２は、（完全なリストではないが）一般的なビームスプリッターキューブ、偏光ビームスプリッターキューブ、偏光ビームスプリッターキューブと１／４波長遅延板の組み合わせなどのさまざまな要素から構成されていてもよい。１／４波長遅延板を使用する場合、その高速軸は、偏光ビームスプリッターキューブで反射された偏光の方向に対して４５°に傾斜することが好ましい。
【００７１】
図７は、第１ビーム誘導システム２０（又は第２ビーム誘導システム２２）が第１偏光ビームスプリッターキューブ２５（又は第２偏光ビームスプリッターキューブ２６）と第１の１／４波長遅延板２７（又は第２の１／４波長遅延板２８）から構成されている好適な実施例を示す図である。これらの要素は、当業者に知られているものである。第１偏光ビームスプリッターキューブ２５と第２偏光ビームスプリッターキューブ２６は、同じ仕様であることが好ましい。第１の１／４波長遅延板２７と第２の１／４波長遅延板２８は、同じ仕様であることが好ましい。
【００７２】
入射光ビーム１は、第１偏光ビームスプリッターキューブ２５で反射された偏光の方向に直線的に偏光する場合、損失なく反射する。そして、この光ビームは、第１の１／４波長遅延板２７を通過する。よって、第１入射光ビーム４は、第１ビーム誘導システム２０の出口において、円形に偏光する。ミラー１９に入射した第１光ビーム４を反射することにより得られた第１反射光ビーム２３は、第１の１／４波長遅延板２７を通過する。その円形偏光は、入射光ビーム１の偏光に対して９０°回転した場合でも直線状となる。第１反射光ビーム２３は、第１偏光ビームスプリッターキューブ２５を損失なく進み、再帰反射システム２１に到達する。再帰反射システム２１は、ミラー１９で第２入射光ビーム８を発生させる役割を果たす。そして、第２入射光ビーム８は、第２偏光ビームスプリッターキューブ２６を損失なく通過した後、第２の１／４波長遅延板２８を通過し、その偏光が円形となる。また、ミラー１９で反射し、第２入射光ビーム８から得られた光ビームも第２の１／４波長遅延板２８を通過する。その円形偏光は、第２入射光ビーム８の偏光に対して９０°回転した場合でも直線状となる。最終的に、第２偏光ビームスプリッターキューブ２６で反射された光ビームが損失なく偏向する（又は損失なく反射する）ことで得られた出射光ビーム７の偏光は、入射光ビーム１の偏光と平行になる。
【００７３】
図７に示すように、第１及び第２ビーム誘導システム２０、２２がそれぞれ偏光ビームスプリッターキューブ（２５、２６）と１／４波長遅延板（２７、２８）から構成されている場合、入射光ビーム１に対してオフセットした出射光ビーム７を損失なく得ることができる。これは、偏光を維持可能な再帰反射システム２１を用いることによっても可能となる。偏光を維持可能な再帰反射システム２１の例としては、ダブプリズムと１つ又は２つのルーフプリズムの組み合わせ、ダブプリズムと２つのミラーの組み合わせ、５つのミラーが挙げられる。
【００７４】
図２乃至図７に示す実施例では、光は、ミラー１９の一つの反射面で反射する。また、本発明の機械加工装置１００の光学システム２は、第１入射光ビーム４とミラー１９の法線１６とが、可動ミラー１９のすべての可能な位置や方向について、０°から１５°の範囲、好ましくは０．０１°から５°の範囲、さらに好ましくは０．１°から３°の範囲の角度１５で離間するよう構成されている。
【００７５】
図８は、可動ミラー１９が２つの反射面を有する他の可能な実施例を示す図である。第１反射面は、入射光ビーム１から生じる第１入射光ビーム４から第１反射光ビーム２３が得られるようにする。第２反射面は、第２入射光ビーム８を反射させる。再帰反射システムと、対応する第１及び第２ビーム誘導システム２０、２２を用いることにより、第２入射光ビーム８は、ミラー１９の位置や方向に関係なく、第１反射光ビーム２３と平行になる。第１入射光ビーム４とミラー１９の法線１６（明確にするため図示せず）とは、０°から１５°の範囲、好ましくは０．０１°から５°の範囲、さらに好ましくは０．１°から３°の範囲の角度１５（明確にするため図示せず）で離間している。図８に示す例では、第１ビーム誘導システム２０（又は第２ビーム誘導システム２２）は、第１（又は第２）偏光ビームスプリッターキューブ２５（又は２６）と、第１（又は第２）１／４波長遅延板２７（又は２８）から構成されている。これらの要素は、当業者に知られているものである。第１偏光ビームスプリッターキューブ２５と第２偏光ビームスプリッターキューブ２６は、同じ仕様であることが好ましい。第１の１／４波長遅延板２７と第２の１／４波長遅延板２８は、同じ仕様であることが好ましい。入射光ビーム１は、第１偏光ビームスプリッターキューブ２５の通過を可能にする偏光方向に偏光することが好ましい。そして、入射光ビーム１は、第１の１／４波長遅延板２７を通過し、ミラー１９に入射した第１光ビーム４を反射することにより得られた第１反射光ビーム２３は、第１の１／４波長遅延板２７を通過する。第１反射光ビーム２３の偏光は、入射光ビーム１の偏光に対して９０°回転し、第１反射光ビーム２３は、第１偏光ビームスプリッターキューブ２５で損失なく反射され、再帰反射システム２１に到達する。再帰反射システム２１は、第２入射光ビーム８を発生させる役割を果たす。そして、第２入射光ビーム８は、第２偏光ビームスプリッターキューブ２６で損失なく反射された後、第２の１／４波長遅延板２８を通過する。この第２入射光ビーム８がミラー１９で反射して、出射光ビーム７が得られる。そして、この出射光ビーム７は、偏向せずに第２の１／４波長遅延板２８と第２偏光ビームスプリッターキューブ２６を通過する。出射光ビーム７は、ミラー１９のすべての位置や方向について、入射光ビーム１と平行になる。
【００７６】
図８に示すように、第１及び第２ビーム誘導システム２０、２２がそれぞれ偏光ビームスプリッターキューブ（２５、２６）と１／４波長遅延板（２７、２８）から構成されている場合、入射光ビーム１に対してオフセットした出射光ビーム７を損失なく得ることができる。図８に示す例では、ミラー１９が、その法線１６と平行ではない回転軸を中心に完全に回転可能である。図８に示す実施例については、非平行な少なくとも２つの方向に傾斜可能なミラー１９と、それら少なくとも２つの方向についてミラー１９の傾斜を変更可能な駆動手段６を用いることもできる。そして、第１入射光ビーム４とミラー１９の法線１６間の最大角度は、０°から１５°の範囲、好ましくは０．０１°から５°の範囲、さらに好ましくは０．１°から３°の範囲である。図８に示す実施例のさらに別の可能な例によれば、ミラー１９は、回転軸５を中心に完全に回転可能であると同時に傾斜可能であり、駆動手段６は、その回転軸５を中心にミラー１９を回転させ、その傾斜を１つ、２つ又はそれ以上の方向について変更させることができる。
【００７７】
図６乃至図８の好適な実施例は、図５の好適な実施例と同様の利点を示す。第１及び第２入射光ビーム４、８は、（第１及び第２ビーム誘導システム２０、２２が行う約９０°の偏向や、この第１及び第２ビーム誘導システム２０、２２に対するミラー１９の相対位置のおかげで）ほぼ９０°に近い角度に選択可能な角度でミラー１９に当たる。これにより、集束手段９の向こう側に、出射光ビーム７によってほぼ完全な円の歳差輪を描くことができる。第１及び第２入射光ビーム４、８は、同じ入射角でミラー１９に当たる。これにより、機械加工の品質を向上させることができる。
【００７８】
図２乃至図８に示すさまざまな実施例では、回転軸を中心に完全な回転を行うことができるミラー１９ではなく、２つ以上の方向に傾斜可能なミラー１９を用いてもよい。そして、駆動手段６は、それら２つ以上の方向について、ミラー１９の傾斜を変更することができる。
【００７９】
再帰反射システム２１は、光ビームの、具体的には、第１反射光ビーム２３の偏光を維持することができる。図９ａ及び図９ｂは、光ビームが法線７１によって定められた平らな反射面７０で反射する場合に、その光ビームの直線偏光７５が維持される（矢印７６は光ビームの主伝播方向を表す）２つの可能な構成をそれぞれ示す図である。第１の可能な構成（図９ａ）によれば、直線偏光７５が平らな反射面７０に対して平行である。第２の可能な構成（図９ｂ）によれば、直線偏光７５が平らな反射面７０と垂直な面に含まれている。いずれの場合も、偏光は維持される。この特性は、偏光を維持する再帰反射システム２１の設計に用いることができる。再帰反射システム２１では、いくつかの反射が起こる。直線偏光を維持するための再帰反射システム２１については、以下のような２つの実施例が考えられる。
再帰反射システム２１の第１平面反射面で、その第１平面反射面と平行な直線偏光により偶数回反射を行い、第２平面反射面で、その第２平面反射面と垂直な面に属する直線偏光により奇数回反射を行う。
再帰反射システム２１の第１平面反射面で、その第１平面反射面と平行な直線偏光により奇数回反射を行い、再帰反射システム２１の第２平面反射面で、その第２平面反射面と垂直な面に属する直線偏光により偶数回反射を行う。
【００８０】
再帰反射システム２１は、さまざまな要素から構成されていてもよい。その例としては（完全なリストではないが）、キューブコーナー、ダブプリズム２９と他のプリズム３０、好ましくは直角二等辺プリズムの組み合わせが挙げられる。この最後に挙げた組み合わせを図１０に示す。図１０では、上方から見た図を左側に示し、側面から見た図を右側に示す。再帰反射システム２１がダブプリズム２９と直角二等辺プリズム３０から構成される図１０に示す実施例では、第１反射光ビーム２３の直線偏光７５が維持されている。直線偏光７５は、直角二等辺プリズム３０の２つの平らな反射面と平行であり、ダブプリズム２９の平らな反射面７０と垂直な平面に含まれる。ミラー１９のすべての位置や方向について、第２入射光ビーム８と第１反射光ビーム２３は平行である。
【００８１】
図１１は、本発明の機械加工装置１００の好適な実施例を概略的に示す図である。この図に示すように、装置１００は、入射光ビーム１のコリメーションを変更する一次光学システム３１を備えていることが好ましい。この一次光学システム３１を、ミラー１９を連続回転させることができる光学システム２の前方に追加することにより、ユーザは、プログラムによる脱焦点化により直径が決まる穴を形成することができる。また、ユーザは、自然焦点の周りに輪を形成することもできる。光ビームが穴を形成するのと同時に、一次光学システム３１の要素（例えば、レンズ）を並進運動させることにより、深さを増大させてもよい。この特徴によれば、本発明は、偏向システム（スキャナ）を追加することなく、かつ、一次光学システム３１によって入射光ビーム１に広がりを与えることにより穴の直径を制御しつつ、穴形成（穿孔）を行うのに用いることもできる。
【００８２】
図１２は、機械加工装置１００の他の好適な実施例を示す図である。図に示すように、この好適な実施例では、集束フィールドにわたって対象物１０に向けられた出射光ビーム７をシフトする偏向システム３２（例えば、ガルバノメトリックスキャナヘッド）をさらに備えている。この構成は、時計製造におけるムーブメント部品や、医療機器産業におけるインプラントなど、複雑な形状を有する部品の製造に特に適している。そして、この機械加工装置１００は、テレセントリックレンズ９を備えていることが好ましい。この用語は、当業者に知られているものである。
【００８３】
上述したさまざまな例においては、さまざまなタイプの光源３３を用いることができる。限定されない例としては、以下のものが挙げられる。
かなりの厚さを有する金属の切断や穿孔を行うためのＣＯ２レーザー
所要の精度や関係する加熱帯に応じて、ミリ秒又はナノ秒の連続モードのレーザーダイオードやファイバーレーザー（マルチモード又はモノモード）
高精度の微細切断や微細穿孔を行うための超短レーザー（ピコ秒又はフェムト秒）
パルス幅が３００ｆｓから１０ｐｓであり、焦点距離が１５０ｍｍ未満（好ましくは１００ｍｍ）のフェムト秒レーザー
ＵＶレーザー（ｎｓ、ｐｓ又はｆｓ）
可視レーザー（ｎｓ、ｐｓ又はｆｓ）
【００８４】
他の態様によれば、本発明者らは、上記機械加工装置１００を用いることにより、光ビームで対象物１０の機械加工を行う方法を提案している。
【００８５】
本発明について特定の実施例を参照しながら説明してきたが、その目的は例示的なものにすぎず、決して制限的なものと見なすべきではない。概して、本発明は、上記に例示及び／又は説明した例に限定されるものではない。動詞「備える」、「含む」、「から成る」、又は、何れかの他の変形、並びにそれらのそれぞれの語形変化の使用は、説明したそれら以外の要素の存在を除外するものではない。要素の前の不定冠詞「ａ」、「ａｎ」、又は定冠詞「ｔｈｅ」の使用は、複数のかかる要素の存在を除外するものではない。特許請求の範囲に記載された符号は、その範囲を限縮するものではない。
【００８６】
要約すれば、本発明は、以下のように説明してもよい。
入射光ビーム１と呼ばれる光ビームを生成する光源３３と、
その入射光ビーム１から、３次元空間にほぼ円筒形状の面を描くことができる出射光ビーム７を（その出射光ビーム７が集束手段９より上流側で所定の方向と平行なままとなるように）得る光学システム２であって、
法線１６によって定められたほぼ平らな反射面を有し、上記入射光ビーム１から生じる第１入射光ビーム４から第１反射光ビーム２３を得るよう構成され、その法線１６が３次元空間に軌道を描くことができるよう可動式のミラー１９を備え、
上記第１入射光ビーム４と可動ミラー１９の法線１６とが、可動ミラー１９のすべての可能な位置や方向について、０°から１５°の角度１５で離間するよう構成されている、光学システム２と、
上記可動ミラー１９を移動させる駆動手段６と、
上記第１反射光ビーム２３から、上記可動ミラー１９のすべての可能な位置や方向について、ミラー１９に第２入射光ビーム８を得るよう、かつ、上記第２入射光ビーム（８）からミラー１９に出射光ビーム（７）を得るように可動ミラー１９に対して位置決めされ、
上記可動ミラー１９のすべての可能な位置や方向について、その可動ミラー１９に、上記第１反射光ビーム２３と平行な第２入射光ビーム８を得ることができる、再帰反射システム２１と、
出射光ビーム７を対象物１０上に集束させる集束手段９と、
を具備する、光ビームにより対象物１０の機械加工を行う機械加工装置１。
光学システム２は、入射及び出射光ビーム１、７間の空間オフセットを制御することができる。ミラー１９の位置及び／又は方向を変更することによって、出射光ビーム７にほぼ円筒形状の面を描かせることができる。その後、適切な集束手段９を用いて、歳差運動を描く出射光ビーム７により、対象物１０の小さな部分で機械加工を行うことができる。
【００８７】
機械加工装置１００に含まれる光学システム２は、入射光ビーム１を、好ましくは９０°まで偏向させることにより、第１入射光ビーム４の生成を可能にする第１ビーム誘導システム２０と、その第１入射光ビーム４を受光し、対応する第１反射光ビーム２３を生成することができるよう配置された可動ミラー１９と、上記第１ビーム誘導システム２０に対してミラー１９の位置を変更する駆動手段６と、上記ミラー１９のすべての可能な位置や方向について、上記第１反射光ビーム２３と非平行な第２入射光ビーム８をミラー１９において得るために、第１反射光ビーム２３の方向を変更する再帰反射システム２１と、上記ミラー１９で（好ましくは９０°まで）反射され、上記第２入射光ビーム８から得られた光ビームを偏向させる第２ビーム誘導システム２２とを備えている。
【００８８】
そのため、入射光ビーム１の方向をたどって、光学システム２のさまざまな要素は、第１ビーム誘導システム２０、ミラー１９、再び第１ビーム誘導システム２０（好ましくは偏向なしで）、再帰反射システム２１、第２ビーム誘導システム２２（好ましくは偏向なしで）、再びミラー１９、そして最後に再び第２ビーム誘導システム２２（ここでは、好ましくは偏向ありで）という順序で光を受光する。従って、機械加工装置１００に含まれる光学システム２は、出射光ビーム７をその公称位置に対して非常に簡単にオフセットさせることができ、（出射光ビーム７を集束手段９より上流側で所定の位置に対して平行なままにしながら）対象物１０とゼロではない迎え角を形成することができる。この出射光ビーム７と対象物１０との迎え角の大きさは、ミラー１９の傾斜及び／又はその並進運動に応じて定めることができる。傾斜したミラー１９の角度位置（ミラー１９が回転可能な場合）により、迎え角αを焦点面にそろえることができる。
【図１】
2018530437.tif 000003
【図２】
2018530437.tif 000004
【図３】
2018530437.tif 000005
【図４】
2018530437.tif 000006
【図５】
2018530437.tif 000007
【図６】
2018530437.tif 000008
【図７】
2018530437.tif 000009
【図８】
2018530437.tif 000010
【図９ａ】
2018530437.tif 000011
【図９ｂ】
2018530437.tif 000012
【図１０】
2018530437.tif 000013
【図１１】
2018530437.tif 000014
【図１２】
2018530437.tif 000015
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
光源（３３）と、
入射光ビーム（１）から、該入射光ビーム（１）に対して空間的にオフセットされた出射光ビーム（７）を得る光学システム（２）であって、
法線（１６）によって定められたほぼ平らな反射面を有し、前記入射光ビーム（１）から生じる第１入射光ビーム（４）から第１反射光ビーム（２３）を得るよう構成され、
その法線（１６）が３次元空間に軌道を描くことができるよう可動式のミラー（１９）を備え、
前記第１入射光ビーム（４）と前記可動ミラー（１９）の法線（１６）とが、可動ミラー（１９）のすべての可能な位置や方向について、０°から１５°の角度（１５）で離間するよう構成されている、光学システム（２）と、
前記可動ミラー（１９）を移動させる駆動手段（６）と、
前記第１反射光ビーム（２３）から、前記可動ミラー（１９）のすべての可能な位置や方向について、前記ミラー（１９）に第２入射光ビーム（８）を得るよう、かつ、前記第２入射光ビーム（８）から上記ミラー（１９）に出射光ビーム（７）を得るように前記可動ミラー（１９）に対して位置決めされ、
前記可動ミラー（１９）のすべての可能な位置や方向について、前記可動ミラー（１９）に、前記第１反射光ビーム（２３）と平行な前記第２入射光ビーム（８）を得ることができる、再帰反射システム（２１）と、
前記出射光ビーム（７）を対象物（１０）上に集束させる集束手段（９）と、
を具備することを特徴とする機械加工装置（１００）。
【請求項２】
前記光学システム（２）は、前記第１入射光ビーム（４）と前記可動ミラー（１９）の法線（１６）とが、前記可動ミラー（１９）のすべての可能な位置や方向について、０．０１°から５°の角度（１５）で離間するよう構成され、好ましくは０．１°から３°の角度（１５）で、より好ましくは０．５°の角度で離間するよう構成されていることを特徴とする請求項１に記載の機械加工装置（１００）。
【請求項３】
前記出射光ビーム（７）をシフトさせる偏向システム（３２）をさらに具備することを特徴とする請求項１又は２に記載の機械加工装置（１００）。
【請求項４】
前記可動ミラー（１９）は、その法線（１６）に対する割線である回転軸（５）を中心に３６０°回転することができ、前記駆動手段（６）は、前記ミラー（１９）を前記回転軸（５）を中心に回転させることができることを特徴とする請求項１〜３のいずれか一項に記載の機械加工装置（１００）。
【請求項５】
前記可動ミラー（１９）は、２つ以上の方向に傾斜可能であり、前記駆動手段（６）は、当該２つ以上の方向について前記ミラー（１９）の傾斜を変更することができることを特徴とする請求項１〜４のいずれか一項に記載の機械加工装置（１００）。
【請求項６】
前記ミラー（１９）は並進運動可能であり、前記駆動手段（６）は、前記ミラー（１９）に並進運動（２４）を行わせることができることを特徴とする請求項１〜５のいずれか一項に記載の機械加工装置（１００）。
【請求項７】
前記再帰反射システム（２１）は並進運動可能であり、前記駆動手段（６）は、前記再帰反射システム（２１）に並進運動を行わせることができることを特徴とする請求項１〜６のいずれか一項に記載の機械加工装置（１００）。
【請求項８】
前記光学システム（２）は、第１及び第２入射光ビーム（４）、（８）が前記ミラー（１９）の同じ平らな反射面に当たることができるよう構成されていることを特徴とする請求項１〜７のいずれか一項に記載の機械加工装置（１００）。
【請求項９】
前記ミラー（１９）は、２つのほぼ平らな反射面を有し、
各反射面は、法線によって画定され、
一方の反射面は、前記入射光ビーム（１）から生じる前記第１入射光ビーム（４）から前記第１反射光ビーム（２３）を得て、
もう一方の反射面は、前記第２入射光ビーム（８）を反射させて前記出射光ビーム（７）を得る、
ことを特徴とする請求項１〜６のいずれか一項に記載の機械加工装置（１００）。
【請求項１０】
前記再帰反射システム（２１）は、光ビームの偏光を維持することができることを特徴とする請求項１〜９のいずれか一項に記載の機械加工装置（１００）。
【請求項１１】
前記再帰反射システム（２１）は、ダブプリズム（２９）と直角二等辺プリズム（３０）を備えていることを特徴とする請求項１〜１０のいずれか一項に記載の機械加工装置（１００）。
【請求項１２】
前記再帰反射システム（２１）は、５つのミラーを備えていることを特徴とする請求項１〜１０のいずれか一項に記載の機械加工装置（１００）。
【請求項１３】
前記再帰反射システム（２１）は、キューブコーナーを備えていることを特徴とする請求項１〜９のいずれか一項に記載の機械加工装置（１００）。
【請求項１４】
前記光学システム（２）は、前記入射光ビーム（１）を偏向させることにより、前記第１入射光ビーム（４）を得る第１ビーム誘導システム（２０）をさらに備え、前記可動ミラー（１９）は、前記駆動手段（６）と前記第１ビーム誘導システム（２０）との間に配置されていることを特徴とする請求項１〜１３のいずれか一項に記載の機械加工装置（１００）。
【請求項１５】
前記光学システム（２）は、前記ミラー（１９）での前記第２入射光ビーム（８）の反射を偏向させることにより、前記出射光ビーム（７）を得る第２ビーム誘導システム（２２）をさらに備え、前記可動ミラー（１９）は、前記駆動手段（６）と前記第２ビーム誘導システム（２２）との間に配置されていることを特徴とする請求項１〜１４のいずれか一項に記載の機械加工装置（１００）。
【請求項１６】
前記光学システム（２）は、前記入射光ビーム（１）の偏光を変更する半波長板と、前記半波長板を回転させる手段とをさらに備えていることを特徴とする請求項１〜１５のいずれか一項に記載の機械加工装置（１００）。
【請求項１７】
前記入射光ビーム（１）のコリメーションを変更する一次光学システム（３１）をさらに具備することを特徴とする請求項１〜１６のいずれか一項に記載の機械加工装置（１００）。
【請求項１８】
前記対象物（１０）を移動させる位置決め手段（６０）及び／又は前記出射光ビーム（７）をシフトさせる偏向システム（３２）を備えること、
前記ミラー（１９）は可動であること、
前記ミラー（１９）の位置は、前記偏向システム（３２）による移動及び／又は前記対象物（１０）の位置によって決まることを特徴とする請求項１に記載の機械加工装置（１００）。
【請求項１９】
請求項１〜１８のいずれか一項に記載の機械加工装置（１００）を設ける工程と、
前記光源（３３）の電源を入れて、前記入射光ビーム（１）を得る工程と、
前記ミラー（１９）の法線が３次元空間に軌道を描くよう、前記駆動手段（６）によって前記ミラー（１９）を移動させる工程と、
前記出射光ビーム（７）が前記対象物（１０）に当たるよう該対象物（１０）の位置決めを行う工程と、
を具備することを特徴とする、対象物を機械加工する方法。
【請求項２０】
前記対象物（１０）に調整可能なホールコニシティを得ることを特徴とする請求項１９に記載の方法。
【国際調査報告】
2018530437.tif 000016
2018530437.tif 000017